(57)【要約】【課題】音孔を携帯端末の側壁部に配置する場合でも、保護部を筐体に確実に固定し、携帯端末を小型化するとともに優れた意匠性を有する携帯端末を提供する。【解決手段】携帯端末１は、筐体７１内部に、レシーバ部８１と、レシーバ部８１と前面に沿って位置をずらして配置された表示素子部９１と、前面に位置するように配置されたスクリーン部２１と、スクリーン部２１の裏面に配置されたフレキシブルプリント基板３１と、フレキシブルプリント基板３１の裏面に配置された接着部４１とを備え、スクリーン部２１、フレキシブルプリント基板３１及び接着部４１には、開口部５１が形成され、開口部５１内に、音孔６２を有する保護部６１が設けられた携帯端末１において、保護部６１は筐体７１とスクリーン部２１との間に外方に張り出す張出し部６３を有し、張出し部６３を含む裏面側が筐体７１に接着されていることを特徴とする。【選択図】図３
2013005256.tif 000002
【特許請求の範囲】
【請求項１】
筐体内部に、その発音部を該筐体の前面側に向けて配置されたレシーバ部と、
該レシーバ部と前記前面に沿って位置をずらして配置された表示素子部と、
前記レシーバ部及び前記表示素子部を覆うとともに、前記前面に位置するように配置されたスクリーン部と、
該スクリーン部の裏面に配置されたフレキシブルプリント基板と、
該フレキシブルプリント基板の裏面に配置された接着部とを備え、
前記スクリーン部、前記フレキシブルプリント基板及び前記接着部には、前記レシーバ部を外方へ開放させる開口部が形成され、
該開口部内に、音孔を有する保護部が設けられた携帯端末において、
前記保護部は前記筐体と前記スクリーン部との間に外方に張り出す張出し部を有し、該張出し部を含む裏面側が前記筐体に接着されていることを特徴とする携帯端末。
【請求項２】
請求項１に記載の携帯端末において、
前記保護部は前記筐体の側壁部近傍に配置されていることを特徴とする携帯端末。
【請求項３】
請求項１または請求項２のいずれかに記載の携帯端末において、
前記音孔は複数形成されていることを特徴とする携帯端末。
【請求項４】
請求項１乃至請求項３のいずれかに記載の携帯端末において、
前記スクリーン部は、ガラスで構成されていることを特徴とする携帯端末。
【発明の詳細な説明】
【技術分野】
【０００１】
本発明は、携帯端末に関するものである。
【背景技術】
【０００２】
昨今の携帯電話のような携帯端末においては、携帯端末の前面を構成する前面パネルにポリカーネート等の合成樹脂が採用される場合がある（下記特許文献１参照）。また、液晶ディスプレイの強度を確保するために、前面パネルとして強化ガラスが採用される場合もある。
【０００３】
一方、前面パネルの裏面側には受話部（レシーバ部と称する。以下同じ。）が設けられており、音声を外部に出力するために、前面パネルにはレシーバ部に向かって音孔が形成されている。
【０００４】
ここで、携帯端末の使用時に、前面パネルの音孔の端部に集中的な応力が作用すると、上記強化ガラスが破損するという不具合が発生していた。
そこで、音孔の周辺の前面パネルを保護するために、音孔が形成された保護部材が設けられている（下記特許文献２参照）。
ここで、音孔を前面パネルの中央に配置する場合は、携帯端末は意匠上優れた美観を呈していた。
【先行技術文献】
【特許文献】
【０００５】
【特許文献１】特開２０１０−２８３４５１号公報
【特許文献２】実開平６−３４３４７号公報
【発明の概要】
【発明が解決しようとする課題】
【０００６】
しかしながら、前記音孔が形成された保護部材を携帯端末の側壁部周辺に配置する場合は、保護部材、前面パネル等の寸法誤差により、音孔がレシーバ部の中心より偏心してしまい、又は保護部材の面積が増大してしまい、携帯端末は意匠上著しく美観が劣ってしまうなどの問題点があった。
【０００７】
また、レシーバパーツ部を両面テープで筐体に接着する場合には、接着面積を確保するために、レシーバパーツ部の面積が増大してしまい、意匠上著しく美観が劣ってしまうとともに、携帯端末全体自体を大型化せざるを得ないという問題点があった。
【０００８】
さらに、レシーバパーツ部とケース部を一体化構成とする場合には、意匠上の観点からケース部とレシーバパーツ部の塗装を塗り分ける必要があり、手間が発生するとともに、部品の歩留まりが悪くなりコストが増大するという問題点があった。
【０００９】
本発明は、上記事情に鑑みてなされたものであり、音孔を携帯端末の側壁部に配置する場合でも、保護部を筐体に確実に固定し、携帯端末を小型化するとともに優れた意匠性を有する携帯端末を提供する。
【課題を解決するための手段】
【００１０】
上記目的を達成するために、本発明は以下の手段を採用している。
すなわち、本発明に係る携帯端末は、筐体内部に、その発音部を該筐体の前面側に向けて配置されたレシーバ部と、該レシーバ部と前記前面に沿って位置をずらして配置された表示素子部と、前記レシーバ部及び前記表示素子部を覆うとともに、前記前面に位置するように配置されたスクリーン部と、該スクリーン部の裏面に配置されたフレキシブルプリント基板と、該フレキシブルプリント基板の裏面に配置された接着部とを備え、前記スクリーン部、前記フレキシブルプリント基板及び前記接着部には、前記レシーバ部を外方へ開放させる開口部が形成され、該開口部内に、音孔を有する保護部が設けられた携帯端末において、前記保護部は前記筐体と前記スクリーン部との間に外方に張り出す張出し部を有し、該張出し部を含む裏面側が前記筐体に接着されていることを特徴とする。
【００１１】
このような携帯端末では、スクリーン部、フレキシブルプリント基板及び接着部には、開口部が形成され、該開口部には保護部が設けられている。また、保護部は、筐体とスクリーン部との間に外方に張り出す張出し部を有し、張出し部を含む裏面側が筐体に接着されている。したがって、保護部を筐体に確実に固定することができる。
また、保護部には筐体とスクリーン部との間に張出し部が設けられることにより、保護部は前面側より筐体との接着側の方が断面積を大きくしている。よって、接着面積を確保するとともに、携帯端末を張出し部の大きさ分小型化することができる。さらに、小型化により、コンパクトなデザインとし、優れた意匠性を有する。
【００１２】
また、本発明に係る携帯端末は、前記保護部は前記筐体の側壁部近傍に配置されていることを特徴とする。
【００１３】
このような携帯端末では、音孔を有する保護部が、筐体の側壁部近傍に配置されている場合でも、保護部を筐体に確実に固定し、携帯端末を小型化するとともに優れた意匠性を有する。
【００１４】
また、本発明に係る携帯端末は、前記音孔は複数形成されていることを特徴とする。
【００１５】
このような携帯端末では、音孔が複数形成されているために、音孔の合計面積が大きくなり、それにともない音声を外部に十分に出力することができる。
【００１６】
また、本発明に係る携帯端末は、前記スクリーン部は、ガラスで構成されていることを特徴とする。
【００１７】
このような携帯端末では、スクリーン部がガラスで構成されている場合でも、スクリーン部に形成された開口部に設けられた保護部が、スクリーン部を確実に保護することができる。
【発明の効果】
【００１８】
本発明に係る携帯端末によれば、音孔を携帯端末の側壁部に配置する場合でも、保護部を筐体に確実に固定し、携帯端末を小型化するとともに優れた意匠性を有することができる。
【図面の簡単な説明】
【００１９】
【図１】本発明の一実施形態に係る携帯端末の平面図である。
【図２】本発明の一実施形態に係る携帯端末の上部の拡大平面図である。
【図３】図２のａ−ａ拡大縦断面図である。
【図４】本発明の一実施形態に係る携帯端末を構成する一部品（ａ）パネルスクリーン、（ｂ）スクリーン部、（ｃ）フレキシブルプリント基板、（ｄ）スペーサー、（ｅ）接着部の平面図である。
【図５】本発明の一実施形態に係る携帯端末を構成する一部品（ａ）レシーバ部、（ｂ）保護部の平面図であり、（ｃ）本発明の一実施形態に係る携帯端末からレシーバ部及び保護部を取り除いた場合の平面図である。
【発明を実施するための形態】
【００２０】
以下、本発明の一実施形態について、図面を参照して説明する。
図１に示すように、本実施形態に係る携帯端末１は、扁平形状であり、その表裏面間方向に見たときに略矩形に形成されており、その前面にはパネルスクリーン１１が設けられている。
ここで、携帯端末１において、パネルスクリーン１１が設けられている側を前面側、対向する面を裏面側、図１の紙面上方を上側、紙面下方を下側、紙面右方を右側、紙面左方を左側と称する（以下同じ。）。
図２及び図３に示すように、携帯端末１について詳細に説明すると、携帯端末１は、上述のパネルスクリーン１１と、パネルスクリーン１１の外延部に設けられた筐体７１と、筐体７１内部に配置されたレシーバ部８１と、レシーバ部８１の下側には配置された表示素子部９１とを備える。
【００２１】
図３及び図４に示すように、パネルスクリーン１１は、前面に位置するように配置されたスクリーン部２１と、スクリーン部２１の裏側に配置されたフレキシブルプリント基板３１と、フレキシブルプリント基板３１の裏側に配置された接着部４１とを備える。また、パネルスクリーン１１は、レシーバ部８１及び表示素子部９１を覆っている。
【００２２】
図３及び図４（ｂ）に示すように、スクリーン部２１は、扁平形状であり、その表裏面間方向に見たときに略矩形に形成されており、携帯端末１の前面に配置される。また、本実施形態では、強化ガラスで構成されるとともに、スクリーン部２１の上端右側に左右に縦長の第一開口部２２が形成されている。
【００２３】
図３、図４（ｃ）、（ｄ）に示すように、フレキシブルプリント基板３１は、扁平形状であり、その表裏面間方向に見たときに略矩形に形成されており、スクリーン部２１の裏面に配置される。また、本実施形態では、フレキシブルプリント基板３１の上端右側には上方に開放された凹部３２が形成されている。そして、該凹部３２の上端にスペーサー３３が取り付けられて、左右に縦長の第二開口部３４が形成される。また、第二開口部３４は第一開口部２２より上下方向に大きい形状であるとともに、表裏面間方向に見たときに第一開口部２２及び第二開口部３４の中心位置Ｃは略同一である。
【００２４】
図３、図４（ｅ）に示すように、接着部４１は、扁平形状であり、その表裏面間方向に見たときに略矩形に形成されており、フレキシブルプリント基板３１の裏面に配置される。また、本実施形態では、両面テープで構成されている。したがって、接着部４１の前面側の面はフレキシブルプリント基板３１に接着し、裏面側の面は筐体７１に接着している。
また、接着部４１の上端右側に左右に縦長の第三開口部４２が形成されている。また、第三開口部４２は第一開口部２２より上下方向に大きい形状であるとともに、表裏面間方向に見たときに第一開口部２２及び第三開口部４２の中心位置Ｃは略同一である。
【００２５】
したがって、図３に示すように、携帯端末１の前面側から、スクリーン部２１、フレキシブルプリント基板３１及び接着部４１が積層して、パネルスクリーン１１を構成する。
また、スクリーン部２１、フレキシブルプリント基板３１及び接着部４１が積層することにより、第一開口部２２、第二開口部３４及び第三開口部４２を表裏面間方向に見て中心位置Ｃを同一として連通した開口部５１を形成する。該開口部５１は、レシーバ部８１を外方向かって開放させている。また、開口部５１の内部には、音孔６２を有する保護部６１が設けられている。
【００２６】
音孔６２はレシーバ部８１を外方に開放させるとともに、保護部６１に形成されている。本実施形態では、図２に示すように、左右に縦長の長穴が左右方向に沿って３個形成されている。
【００２７】
図２及び図５（ｂ）に示すように、保護部６１は、表面視して、側壁部の近傍である上端右側に位置し、開口部５１の内縁に設けられている。したがって、第一開口部２２、第二開口部３４、第三開口部４２のそれぞれの内縁に対応した形状であり、筐体７１とスクリーン部２１との間に外方に張り出す張出し部６３を有する。
【００２８】
張出し部６３は、音孔６２より、フレキシブルプリント基板３１、スペーサー３３及び接着部４１に向かって張り出すとともに、該張出し部６３の裏側は筐体７１に接着されている。
【００２９】
筐体７１は、携帯端末１の上側、裏側及び下側を覆うとともに、接着部４１及び保護部６１の張出し部６３と接着している。
【００３０】
図５（ａ）に示すレシーバ部８１は、その発音部を前面側に向けて配置されるとともに、音声を音孔６２を介して外方に出力する。
【００３１】
表示素子部９１は、表示機能を担うとともに、レシーバ部８１と前面に沿って下側に位置をずれして配置されている。
【００３２】
このような携帯端末１では、音孔６２は表裏面間方向から見て、携帯端末１の側壁部の近傍である上端右側に位置している。
そして、スクリーン部２１、フレキシブルプリント基板３１及び接着部４１には、それぞれ第一開口部２２、第二開口部３４及び第三開口部４２が形成され、これらが連通して開口部５１が形成されている。また、第二開口部３４及び第三開口部４２は、第一開口部２２より上下方向に大きい形状である。また、開口部５１の内縁には保護部６１が設けられ、該保護部６１はフレキシブルプリント基板３１及び接着部４１に向かって張り出す張出し部６３を有する。
したがって、携帯端末１は、張出し部６３を含む保護部６１の裏面が筐体７１に接着されることにより、保護部６１を筐体７１に確実に固定することができる。
【００３３】
また、保護部６１にはフレキシブルプリント基板３１及び接着部４１に向かって張り出す張出し部６３が設けられることにより、保護部６１は前面側より筐体７１との接着面側の方が断面積を大きくしている。したがって、筐体７１との接着面積を確保することにより、音孔６２を携帯端末１の側壁部に配置する場合でも、保護部６１を筐体７１に確実に固定することができる。また、携帯端末１は、張出し部６３の張り出し寸法分に対応する携帯端末１の上下方向の大きさを小型化することができる。さらに、小型化することにより、コンパクトなデザインとし、優れた意匠性を有する。
【００３４】
また、音孔６２は、左右に縦長の長穴が左右方向に沿って３個形成されている。したがって、音孔６２の合計面積を大きく確保することができ、それにともない音声を外部に十分に出力することができる。
【００３５】
さらに、スクリーン部２１が強化ガラス等のガラスで構成されている場合でも、スクリーン部２１に形成された第一開口部２２に設けられた保護部６１が、スクリーン部２１を確実に保護することができる。したがって、スクリーン部２１の端部に局所的な力が作用した場合であっても、ガラスが破損するのを確実に防止することができる。
【００３６】
なお、上述した実施の形態において示した動作手順、あるいは各構成部材の諸形状や組み合わせ等は一例であって、本発明の主旨から逸脱しない範囲において設計要求等に基づき種々変更可能である。
【符号の説明】
【００３７】
１…携帯端末
２１…スクリーン部
３１…フレキシブルプリント基板
４１…接着部
５１…開口部
６１…保護部
６２…音孔
６３…張出し部
７１…筐体
８１…レシーバ部
９１…表示素子部
【図１】
2013005256.tif 000003
【図２】
2013005256.tif 000004
【図３】
2013005256.tif 000005
【図４】
2013005256.tif 000006
【図５】
2013005256.tif 000007